(57)【要約】  【目的】遡って記録できる編集機能を備えたデジタル記録媒体の記録再生装置を提供。  【構成】データ領域にオーディオデータが記録されたトラックに対して管理情報に基づいて編集可能なデジタル記録媒体の記録再生装置であって、データ領域の未使用領域全体を用いて常時サイクリックに記録する記録手段と、記録開始要求を受けた時点で仮トラックマークを付して管理情報エリアに記録するとともにそれ以前に記録されたデータを第１のトラックとし、以後に記録されたデータを第２のトラックとする仮トラックマーク設定手段と、仮トラックマークの設定後、又は記録終了した後に、仮トラックマークの位置を調整する仮トラックマーク位置調整手段と、仮トラックマーク位置の最終的な調整後に、第２のトラックを登録し、第１のトラックを登録又は空き領域とするかを選択するトラック登録選択手段と、を備える記録再生装置。【選択図】  図１
2005071497.tif 000002
【特許請求の範囲】
【請求項１】
データ領域にオーディオデータが記録されたトラックに対して管理情報エリアに記録された管理情報に基づいて編集可能なデジタル記録媒体の記録再生装置において、
外部から入力されるオーディオデータを、前記デジタル記録媒体のデータ領域の未使用領域全体を用いて常時サイクリックに記録する記録手段と、
外部から記録開始要求を受けた時点で仮トラックマークを付して前記管理情報エリアに記録するとともに、前記仮トラックマークを付した以前に記録された前記オーディオデータを第１のトラックとし、前記仮トラックマーク以後に記録されたオーディオデータを第２のトラックとする仮トラックマーク設定手段と、
前記仮トラックマークの設定後、及び／又は、外部からの記録終了要求を受けて記録終了した後に、前記仮トラックマークの位置を外部からの指示に応じて調整する仮トラックマーク位置調整手段と、
前記仮トラックマークの位置の最終的な調整後に、前記第２のトラックを正規のトラックとして前記管理情報エリアに登録するとともに、前記第１のトラックを正規のトラックとして前記管理情報エリアに登録するか又は登録せずに記録可能な空き領域とするかを外部からの指示に応じて選択するトラック登録選択手段と、
を設けたことを特徴とするデジタル記録媒体の記録再生装置。
【発明の詳細な説明】
【技術分野】
【０００１】
本発明は、ＭＤ（ミニディスク）、ＤＶＤ−ＲＷ等の編集可能なデジタル記録媒体に音楽を始めとするオーディオデータを記録し再生するためのデジタル記録再生装置に関し、特に、外部から入力されるオーディオデータの記録開始位置を任意に調整できる編集機能に関する。
【背景技術】
【０００２】
ＦＭラジオチューナー等、外部から次々に入ってくるオーディオデータを記録再生装置に備えられた半導体メモリにサイクリックに記録し続けて、光磁気ディスク等の記録媒体への入力データの記録を外部からの指令でスタートさせたときに、前記半導体メモリに記録された直前のデータ（例えば数秒分のデータ）をも記録媒体に記録できるようにした装置・方法が既に開発されている（特開昭６１−２２５９３０号公報、特開平６−２３１５３８号公報、特開２００１−５２４３７号公報等参照）。
【０００３】
上記装置・方法は、録音スタート時の曲の頭（最初の部分）の録音抜けを無くすことができる点で有益であり、例えば、ＦＭラジオチューナーで受信した音楽をＭＤ等のデジタル記録媒体に録音しようとした時に、ユーザーが録音ボタン押したタイミングでは実際にデジタル記録媒体に録音開始するまでの遅れ時間（１〜２秒）が生じて、先頭の音声データが欠けるといった不具合が解消されるのである。
【０００４】
また、下記［特許文献１］には、半導体メモリ等の一時記憶メモリを用いることなく、単一の記録媒体（光ディスク）のみで、記録開始条件が満たされたとき以前の、所定時間の映像データを再生可能にする発明が開示されている。即ち、記録開始信号（記録開始要求）が来る前は、所定時間分のデータを、第１の領域にサイクリックに記録しつづけ、記録開始信号が来た後は、第２の領域に記録するという手段を利用する「映像データ記録方法、及び映像データ記録装置」の技術である。
【０００５】
【特許文献１】特開平１０−４９９８９号公報
【発明の開示】
【発明が解決しようとする課題】
【０００６】
しかしながら、従来の半導体メモリ等に予めサイクリックに記録し続ける手段や上記［特許文献１］のように記録媒体そのものに予め設定した所定の第１の領域にサイクリックに記録し続けておく手段では、記録開始要求の信号が来る以前に、サイクリックに記録すべき所定時間を事前に設定しておかなければならない。
【０００７】
また、予め記録する十分な時間を考慮して設定すると、余分なデータが多くなり、再生時に不要なデータを再生してしまうことになる。逆に半導体メモリの記憶容量或いは［特許文献１］における記録媒体の第１の領域を少なく設定した場合は、必要なデータが欠落する場合がある（再生時に、ユーザーの望む記録開始操作前の必要なデータが再生されない。）。
【０００８】
本発明は上記事情に鑑みてなされたものであり、光磁気ディスク等のデジタル記録媒体（例えばＭＤ）に外部からリアルタイムに入ってくるＦＭラジオ放送等の音楽を始めとするオーディオデータをユーザーが適切に記録・編集できるようにするための新たな記録・編集機能を備えるデジタル記録媒体の記録再生装置を提供するものである。
【課題を解決するための手段】
【０００９】
本発明は、データ領域（プログラムエリア３６）にオーディオデータが記録されたトラックに対して管理情報エリア（ＵＴＯＣ３２）に記録された管理情報に基づいて編集可能なデジタル記録媒体（ＭＤ１）の記録再生装置２０において、外部から入力されるオーディオデータを、前記デジタル記録媒体（ＭＤ１）のデータ領域（プログラムエリア３６）の未使用領域全体を用いて常時サイクリックに記録する記録手段と、外部から記録開始要求を受けた時点で仮トラックマークを付して前記管理情報エリアに（ＵＴＯＣ３２）記録するとともに、前記仮トラックマークを付した以前に記録された前記オーディオデータを第１のトラック（Ｎ）とし、前記仮トラックマーク以後に記録されたオーディオデータを第２のトラック（Ｎ＋１＝Ｍ）とする仮トラックマーク設定手段と、前記仮トラックマークの設定後、及び／又は、外部からの記録終了要求を受けて記録終了した後に、前記仮トラックマークの位置を外部からの指示に応じて調整する仮トラックマーク位置調整手段と、前記仮トラックマークの位置の最終的な調整後に、前記第２のトラック（Ｎ＋１＝Ｍ）を正規のトラックとして前記管理情報エリア（ＵＴＯＣ３２）に登録するとともに、前記第１のトラック（Ｎ）を正規のトラックとして前記管理情報エリア（ＵＴＯＣ３２）に登録するか又は登録せずに記録可能な空き領域とするかを外部からの指示に応じて選択するトラック登録選択手段と、を設けたことを特徴とするデジタル記録媒体の記録再生装置２０を提供することにより、上記課題を達成する。
【発明の効果】
【００１０】
本発明に係るデジタル記録媒体の記録再生装置は、以下の優れた効果を有する。
（１）従来のデジタル記録媒体の記録再生装置が装備している予め記録するための半導体メモリーの容量に較べ、ＭＤ等の編集可能なデジタル記録媒体の記録容量は一般的に大きく、ユーザーが未使用領域の大きいデジタル記録媒体を用いることにより、編集の記録調整量（設定時間）の上限を大きくできる。
（２）記録データに適したトラックマークの位置調整（遡る時間の調整）が記録終了時に調整可能なため、必要なデータの欠落を防ぎ、また、不要なデータの記録を防ぐことができる。
（３）具体的には、記録開始要求が遅れた場合、その時点よりどれだけ前のデータから一つのオーディオデータ（例えば音楽の場合の一つの曲）とするか、或いは記録開始要求が早かった場合、その時点からどれだけ後のデータから一つのオーディオデータ（曲＝トラック）とするか、をユーザーが記録終了後に調整できる。
【発明を実施するための最良の形態】
【００１１】
本発明に係るデジタル記録媒体の記録再生装置の実施の形態について図面に基づいて説明する。なお、本実施の形態の例においては、編集可能なデジタル記録媒体の記録再生装置の典型としてＭＤ記録再生装置を挙げ、ＣＤ再生装置、ＦＭ／ＡＭラジオチューナー或いは外部入力端子から入力される音楽等のオーディオデータをユーザーの記録開始要求操作で記録する場合を前提として説明する。
【００１２】
図１は本発明に係るＭＤ記録再生装置における記録・編集のフローチャートである。図２は本発明に係るＭＤ記録再生装置における編集時のトラックマーク位置調整のフローチャートである。図３は本発明に係るＭＤ記録再生装置のブロック図である。図４はＭＤの記録フォーマットについて説明するための図である。図５乃至図７はＭＤのプログラムエリアにおける仮トラックマークの設定と位置調整を説明するための図である。
【００１３】
先ず、本発明に係るＭＤ記録再生装置の基本システムは、図３に示される公知の一般的なＭＤ記録再生装置２０のブロック図に示されるような構成と同様になっている。
【００１４】
以下、システム構成を概説すると、図３において、ＭＤ１に記録されたディジタルオーディオ信号を再生する場合は、ターンテーブル上でスピンドルモータ５によって回転するＭＤ１のカートリッジ１ａ内に収納された光磁気ディスク１ｂの圧縮されたディジタルオーディオ信号データを光ピックアップ２で読み出し、ヘッドアンプ３（ＲＦマトリクスアンプ）を通って、ＥＦＭ／ＣＩＲＣのエンコーダ／デコーダ１０に加えてＥＦＭとＣＩＲＣの復調を行う。また、アドレスデコーダ４は予めディスク１ｂに記録されているＡＤＩＰ信号を復調してアドレス信号を得てＥＦＭ／ＣＩＲＣのエンコーダ／デコーダ１０に入力する。耐震用メモリコントローラ１１はＥＦＭ／ＣＩＲＣのエンコーダ／デコーダ１０からの圧縮データをバッファメモリ（ＤＲＡＭ）等のメモリ回路１４に蓄積するほか、セクターフォーマット信号のエンコード／デコード、メインデータのエラーデータ、バッファ制御、外部入出力制御などのデータ制御機能を備える。次に、ＡＴＲＡＣのエンコーダ／デコーダ１２では、圧縮データを読み出して伸長回路に入力しデータを復調し、復調したデータをディジタル−アナログ変換器１６（ＤＡＣ）へ送りアナログオーディオ信号に変換する。この変換されたアナログオーディオ信号はオーディオ信号出力端子ＯＵＴへ出力される。次に、ＭＤ１にオーディオ信号を記録する場合は、オーディオ信号入力端子ＩＮから入力したアナログオーディオ信号をアナログ−ディジタル変換器（ＡＤＣ）１５でディジタルデータに変換、もしくは図示されない再生装置にて読み取ったＣＤ等のディジタルデータをディジタル入力端子ＤＩＮから入力し、さらにＡＴＲＡＣのエンコーダ／デコーダ１２にて圧縮データに変換して、耐震用メモリコントローラ１１を介してメモリ回路１４に格納する。メモリ回路１４の格納量が一定の量に達した後、格納された圧縮データをＭＤ１に記録する。即ち、メモリ回路１４からの圧縮データを耐震用メモリコントローラ１１が読み出して、ＥＦＭ／ＣＩＲＣのエンコーダ／デコーダ１０に出力し、ＥＦＭ／ＣＩＲＣのエンコーダ／デコーダ１０ではＥＦＭとＣＩＲＣの変調を行って該出力を磁気ヘッド駆動回路７に出力する。磁気ヘッド駆動回路７は磁気ヘッド９に流す電流の向きを記録するＥＦＭ信号データに対応させて磁気ヘッド９に垂直磁界を発生させる。同時に光ピックアップ２からシステムコントローラ１３の制御によってサーボ制御回路８を介して出力されたレーザが出力されて光磁気ディスク１ｂに照射され、上記垂直磁界とレーザの相互作用によってディジタル信号が記録される。
【００１５】
なお、光ピックアップ２の送り移動のための制御信号がシステムコントローラ１３からサーボ制御回路８を介して送りモータ６に加えられる。また、システムコントローラ１３はコンピュータ等からなり、サーボ制御回路８、ＥＦＭ／ＣＩＲＣのエンコーダ／デコーダ１０、耐震用メモリコントローラ１１の各部とバスを介して接続されて制御信号の授受を行い、記録、再生、光ピックアップ２のサーチ動作等の全コントロールの制御と、記録時／再生時／編集時のＭＤ１の管理情報エリアのアドレス情報等の検出／書き換え制御をプログラムの実行によって行っている。キー操作部１８はシステムコントローラ１１の入力装置、表示部１７はシステムコントローラ１３からの種々のデータを表示する液晶等の表示装置である。
【００１６】
次に、上記ＭＤ１の記録フォーマットについて説明すると、図４に示されるように、ディスク内周から外周にかけて、リードインエリアのＴＯＣ（Table of Contents）３１、ＵＴＯＣ（User's Table of Contents）３２、リザーブエリア３３、ＡＵＸ  ＵＴＯＣ（Auxiliary User's Table of Contents）３４、ＡＵＸ  ＵＤＡＴＡ（Auxiliary User's Data）３５、プログラムエリア（データエリア）３６、そして最外周にリードアウトエリア３７が設定されている。
【００１７】
左端の数字はクラスターアドレスであり、プログラムエリア３６の前に別個にクラスター０〜４９クラスターのエリアが設けられているのである。
【００１８】
なお、１クラスター＝３６セクター（メイン３２セクター＋サブ４セクター）、１セクター＝２３５２バイト＝４２４×５．５バイト＋シンク（１２バイト）＋ヘッダー（４バイト）＋サブヘッダー（４バイト）＝５．５サウンドグループ、１サウンドグループ＝４２４バイト（サンプリング周波数４４．１ＫＨｚで５１２サンプル分のオーディオデータ）である。
【００１９】
上記ＵＴＯＣ３２のセクター０にはトラック（曲）の管理情報、セクター１の２５６×７バイトの枠内には曲名のテキストデータ（ＡＳＣＩＩコード）、セクター２にはトラックに付随する録音の記録日付、セクター３には著作権情報、セクター４にはテキストデータ情報（シフトＪＩＳ等の拡張コード等）が各々入る。
【００２０】
そして、上記ＵＴＯＣ３２に記録されている管理情報の各トラック（曲）の開始・終了のアドレスデータにおいて、図５に示されるように前の曲（トラックＮ）の終了アドレス“Ｎ end”とその後の曲（トラック（Ｎ＋１）＝トラックＭとする。）の開始アドレス“Ｍ str”は曲間の位置を示す標識（印）であり、トラックマークと称される。
【００２１】
以上を前提に本発明に係るＭＤ記録再生装置における記録・編集について詳述する。
【００２２】
本発明に係る管理情報エリア（ＵＴＯＣ３２）のトラック管理情報に基づく記録・編集機能は、システム制御を担う前記システムコントローラ１３のマイクロコンピュータのプログラムによるソフトウェアで図１のフローチャートのように実現される。
【００２３】
先ず、第１に、従来のように半導体メモリ等の一時記憶装置を用いることなく、外部入力信号が入力中に外部（ユーザー）からの記録要求が無くても常に入力されるオーディオデータをＭＤ記録再生装置にセットされたＭＤの未使用領域の全体を用いて記録をサイクリックに行う。即ち、予め記録するオーディオデータの記録領域をＭＤのデータ領域における記録済みトラック以外の空き領域全域として、所定の領域に区切らずに利用するのである。この記録手段は、前記システムコントローラ１３のマイクロコンピュータが記録可能な空き領域を有するＭＤがセットされていることを管理情報エリア（ＵＴＯＣ３２）から検知し、外部から入力されるＦＭラジオから流れる音楽等のオーディオデータを入力時から自動的に記録開始させるようにソフト制御することで実現される（ＳＴＥＰ１）。
【００２４】
第２に、外部（ユーザー）から記録開始要求が来た時点で、この時点までの予めの記録済みオーディオデータを第１のトラック（Ｎ）とし、この時点以後の記録データを第２のトラック（Ｎ＋１＝Ｍ）とする仮トラックマークを付して前記管理情報エリアに記録する。この仮トラックマーク設定手段も、前記システムコントローラ１３のマイクロコンピュータによるＭＤのＵＴＯＣへの管理情報記録のソフト制御で実現される（ＳＴＥＰ２）。
【００２５】
第３に、前記仮トラックマークの設定後、及び／又は、ユーザーによる外部からの記録終了要求を受けて記録終了した後に、仮トラックマーク位置調整手段によって前記仮トラックマークの位置をユーザーからの要求に応じて時間的に前後調整する。
【００２６】
この仮トラックマーク位置調整手段は、図２及び図６又は図７に示されるように、先ず、ユーザーのボタン操作等によって、外部からＭＤの前記仮トラックマークの位置変更要求を受けた場合、ユーザーのボタン操作等による位置変更量（時間単位）が＋側への調整要求の場合はトラック（Ｎ）の終了アドレス“Ｎ end”とトラック（Ｍ＝Ｎ＋１）の開始アドレス“Ｍ str”を時間単位の位置変更量をアドレス換算したアドレス移動量Ｘだけ加算したアドレスとする仮トラックマーク移動処理を行い、−側への調整要求の場合はトラック（Ｎ）の終了アドレス“Ｎ end”とトラック（Ｍ＝Ｎ＋１）の開始アドレス“Ｍ str”をアドレス移動量Ｘだけ減算したアドレスとし、トラックマーク位置決定要求があった段階でＵＴＯＣ３２に記録する仮トラックマーク移動処理を行う。この仮トラックマーク位置調整手段はシステムコントローラ１３のマイクロコンピュータのソフト制御で行われる（ＳＴＥＰ３）。
【００２７】
第４に、前記第２のトラック（Ｎ＋１＝Ｍ）を正規のトラックとして登録するとともに前記第１のトラック（Ｎ）を正規のトラックとして管理情報エリアに登録するか又は記録可能な空き領域として登録せずに消去するかを外部からユーザーが選択できるようにする。このトラック登録選択手段もシステムコントローラ１３のマイクロコンピュータのソフト制御で行われる（ＳＴＥＰ４）。消去した場合は、データ領域には記録されているものの正規のトラックとしてＵＴＯＣ３２には登録されないので、外部からは未使用領域（空領域）として認識され、且つＭＤ記録再生装置２０側でも空領域として扱われる。
【００２８】
なお、キー操作部１８は、予めの記録（裏記緑）をするかしないかのモード切り替えスイッチと、記録開始を要求するスイッチと、仮トラックマーク位置調整用のスイッチと、位置決定スイッチと、裏記録データの消去スイッチで構成される。
【００２９】
以上のように、本発明のＭＤ記録再生装置では、大きな記録領域であるデータ領域（プログラムエリア３６）の空領域全体が予めの常時記録領域となっているため、容量不足となる虞れは殆ど無く、ユーザーは自らの記録要求に基づく記録終了後に、外部から入力されて予め裏記録されたオーディオデータを編集で利用した後、残りの裏記録されたオーディオデータを正規トラックとして任意に記録することができるのである。
【００３０】
なお、上記各手段を機能させるには、システムコントローラ１３の記録・編集のためのプログラムの実行によって実現されるが、このプログラムは記録媒体から読み取られてコンピュータに取り込まれてもよいし、通信ネットワークを介して伝送されてシステムコントローラ１３のコンピュータに取り込まれてもよい。
【図面の簡単な説明】
【００３１】
【図１】本発明に係るＭＤ記録再生装置における記録・編集のフローチャートである。
【図２】本発明に係るＭＤ記録再生装置における編集時のトラックマーク位置調整のフローチャートである。
【図３】ＭＤ記録再生装置のブロックダイヤグラムである。
【図４】ＭＤの記録フォーマットについて説明するための図である。
【図５】ＭＤのプログラムエリアにおけるトラックマークの前後のトラックデータとのアドレスの関係を説明するための図である。
【図６】ＭＤのプログラムエリアにおけるトラックマークを後方にアドレスＸ移動させた場合の前後のトラックデータとのアドレスの関係を説明するための図である。
【図７】ＭＤのプログラムエリアにおけるトラックマークを前方にアドレスＸ移動させた場合の前後のトラックデータとのアドレスの関係を説明するための図である。
【符号の説明】
【００３２】
１ａ  ＭＤのカートリッジ
１ｂ  光磁気ディスク
２    光ピックアップ
３    ヘッドアンプ
４    アドレスデコーダ
５    スピンドルモータ
６    送りモータ
７    磁気ヘッド駆動回路
８    サーボ制御回路
９    磁気ヘッド
１０    ＥＦＭとＣＩＲＣのエンコーダ／デコーダ
１１    耐震用メモリコントローラ
１２    ＡＴＲＡＣのエンコーダ／デコーダ
１３    システムコントローラ
１４    メモリ回路
１５    アナログ−ディジタル変換器
１６    ディジタル−アナログ変換器
１７    表示部
１８    キー操作部
２０    ＭＤ記録再生装置
３１    ＴＯＣ（Table of Contents）
３２    ＵＴＯＣ（User's Table of Contents）
３３    リザーブエリア
３４    ＡＵＸ  ＵＴＯＣ（Auxiliary User's Table of Contents）
３５    ＡＵＸ  ＵＤＡＴＡ（Auxiliary User's Data）
３６    プログラムエリア
３７    リードアウトエリア
ＭＤ１    ミニディスク
ＩＮ    オーディオ信号入力端子
ＯＵＴ    オーディオ信号出力端子
【図１】
2005071497.tif 000003
【図２】
2005071497.tif 000004
【図３】
2005071497.tif 000005
【図４】
2005071497.tif 000006
【図５】
2005071497.tif 000007
【図６】
2005071497.tif 000008
【図７】
2005071497.tif 000009